(57)【要約】  【課題】シリアル通信などの親子間でＩＤを送受するための特別なインターフェースを持たせることなく、親子関係の管理を行うことができる技術を提供する。  【解決手段】、内線ネットワーク４に無線ＡＰ３および有線端末２１を接続すると共に、無線ＡＰ３を介して内線ネットワーク４に無線端末２２を接続する。そして、有線端末２１に、自端末２１に載置された無線端末２２に対して、親子設定要求送信の合図を出力させると共に、主装置１に対して親子設定要求を送信させる。また、無線端末２２に、自端末２２が載置する有線端末２１から出力された合図を契機として、主装置１に対して親子設定要求を送信させる。また、主装置１に、所定時間内に一の有線端末２１および一の無線端末２２から親子設定要求を受信した場合に、これらの端末２１、２２間に親子関係を設定する。【選択図】図１
2008219724.tif 000002
【特許請求の範囲】
【請求項１】
外線および内線を収容する主装置と、前記内線に接続された無線アクセスポイントと、前記内線に接続された少なくとも１台の端末装置と、前記無線アクセスポイントを介して前記内線に接続された少なくとも１台の無線端末装置と、を有する親子電話システムであって、
前記端末装置は、
前記無線端末装置を自端末装置に接続するための端末装置側接続手段と、
所定のイベントが発生した場合に、前記端末装置側接続手段により自端末装置に接続された前記無線端末装置に、親子設定要求送信の合図を出力する合図出力手段と、
前記所定のイベントが発生した場合に、前記主装置に前記親子設定要求を送信する端末装置側親子設定要求手段と、を有し、
前記無線端末装置は、
前記端末装置を自無線端末装置に接続するための無線端末装置側接続手段と、
前記無線端末装置側接続手段により自無線端末装置に接続された前記端末装置により出力された前記合図を検知する合図検知手段と、
前記合図検知手段により前記合図が検知された場合に、前記主装置に前記親子設定要求を送信する無線端末装置側親子設定要求手段と、を有し、
前記主装置は、
親子関係にある前記端末装置および前記無線端末装置のアドレスを含む親子情報を記憶する親子情報記憶手段と、
所定時間内に一の前記端末装置および一の前記無線端末装置から前記親子設定要求を受信した場合に、当該端末装置を親機とし、当該無線端末装置を子機とする親子情報を前記親子情報記憶手段に登録する親子情報登録手段と、を有する
ことを特徴とする親子電話システム。
【請求項２】
請求項１に記載の親子電話システムであって、
前記主装置は、
前記親子情報登録手段により親子情報が登録された前記端末装置および前記無線端末装置に対し、当該端末装置に対しては当該無線端末装置のアドレスを送信し、当該無線端末装置に対しては当該端末装置のアドレスを送信するアドレス送信手段をさらに有し、
前記端末装置は、
前記主装置から送られてきた前記無線端末装置のアドレスを、自端末装置の子機のアドレスとして登録する子機情報登録手段をさらに有し、
前記無線端末装置は、
前記主装置から送られてきた前記端末装置のアドレスを、自無線端末装置の親機のアドレスとして登録する親機情報登録手段をさらに有する
ことを特徴とする親子電話システム。
【請求項３】
請求項１又は２に記載の親子電話システムであって、
前記主装置は、
前記所定時間内に複数の前記端末装置および複数の前記無線端末装置から前記親子設定要求を受信した場合に、当該複数の端末装置に対して、それぞれ異なるタイミングで自装置に前記親子設定要求を送信させるためのリトライ要求を、送信するリトライ要求送信手段をさらに有し、
前記所定のイベントは、
前記リトライ要求の受信を含む
ことを特徴とする親子電話システム。
【請求項４】
請求項１乃至３のいずれか一項に記載の親子電話システムであって、
前記親子情報登録手段は、
前記所定時間内に一の前記端末装置および一の前記無線端末装置から前記親子設定要求を受信した場合に、当該端末装置を親機とし、当該無線端末装置以外の前記無線端末装置を子機とする親子情報が前記親子情報記憶手段に登録されているか否かを調べ、登録されていない場合にのみ、当該端末装置を親機とし、当該無線端末装置を子機とする親子情報を前記親子情報記憶手段に登録し、登録されている場合は、親子関係設定済みであることを示す既設定通知を当該端末装置に通知する
ことを特徴とする親子電話システム。
【請求項５】
請求項４に記載の親子電話システムであって、
前記親子情報登録手段は、
前記所定時間内に同じ前記端末装置および前記無線端末装置から前記親子設定要求を受信する事態が所定回数繰り返された場合に、前記親子情報記憶手段に登録されている、当該端末装置を親機とし、当該無線端末装置以外の前記無線端末装置を子機とする親子情報を、当該端末装置を親機とし、当該無線端末装置を子機とする親子情報に更新し、
前記所定のイベントは、
前記既設定通知の受信を含む
ことを特徴とする親子電話システム。
【請求項６】
請求項１乃至５のいずれか一項に記載の親子電話システムであって、
前記端末装置側接続手段は、
前記無線端末装置に電力を供給するための電力供給端子であり、
前記無線端末装置側接続手段は、
前記端末装置から電力を入力するための電力入力端子であり、
前記合図出力手段は、
前記電力供給端子を介して前記無線端末装置に供給する電力を変化させることにより、前記無線端末装置に前記合図を出力するものであり、
前記合図検知手段は、
前記電力入力端子を介して前記端末装置から供給される電力の前記変化を検知することにより、前記合図を検知する
ことを特徴とする親子電話システム。
【請求項７】
外線および内線を収容する主装置を用いた親子電話システムの構築方法であって、
前記内線に無線アクセスポイントおよび端末装置を接続し、
前記無線アクセスポイントを介して前記内線に、前記端末装置に載置された無線端末装置を接続し、
前記端末装置に、
当該端末装置に載置された前記無線端末装置に対して、親子設定要求送信の合図を出力させると共に、前記主装置に対して前記親子設定要求を送信させ、
前記無線端末装置に、
当該無線端末装置が載置する前記端末装置から出力された合図を契機として、前記主装置に対して前記親子設定要求を送信させ、
前記主装置に、
所定時間内に一の前記端末装置および一の前記無線端末装置から前記親子設定要求を受信した場合に、当該端末装置を親機とし、当該無線端末装置を子機する親子情報を登録させる
ことを特徴とする親子電話システムの構築方法。
【発明の詳細な説明】
【技術分野】
【０００１】
本発明は、主装置を用いた親子電話システムの技術に関し、特に親子関係の設定技術に関する。
【背景技術】
【０００２】
特許文献１には、メモリの寿命を損ねることなくかつ正当な子機と不正な子機とを併存させないコードレス電話機の親機および子機が記載されている。この特許文献１において、親機は、子機への充電を検出すると、この子機に対して親子で共通するＩＤを通知する。そして、子機から応答があれば、この子機に対して無線リンクを確立し、応答がなければ、新たなＩＤを生成してこの子機に通知する。一方、子機は、親機からの充電開始と共にこの親機から通知されたＩＤが自機のＩＤと一致するか否かを確認する。一致するならば、この親機に対して無線リンク確立を要求する。一致しない場合は、この親機から新たなＩＤを待ち、自機のＩＤをこの新たなＩＤに更新する。その後、この親機に対して無線リンク確立を要求する。
【０００３】
【特許文献１】特開２００１−５３８７３公報
【発明の開示】
【発明が解決しようとする課題】
【０００４】
特許文献１に記載のコードレス電話機の親機および子機は、親子間で、無線リンク確立に先立ってＩＤを送受する必要がある。このため、無線リンク用のインターフェースとは別に、シリアル通信などの親子間でＩＤを送受するための特別なインターフェースを持たせる必要があり、コストが嵩む。
【０００５】
本発明は上記事情に鑑みてなされたものであり、本発明の目的は、シリアル通信などの親子間でＩＤを送受するための特別なインターフェースを持たせることなく、親子関係の管理を行うことができる技術を提供することにある。
【課題を解決するための手段】
【０００６】
上記課題を解決するために、本発明では、内線に無線アクセスポイントおよび端末装置を接続すると共に、無線アクセスポイントを介して内線に無線端末装置を接続する。そして、端末装置に、自端末装置に載置された無線端末装置に対して、親子設定要求送信の合図を出力させると共に、主装置に対して親子設定要求を送信させる。また、無線端末装置に、自無線端末装置が載置する端末装置から出力された合図を契機として、主装置に対して親子設定要求を送信させる。また、主装置に、所定時間内に一の端末装置および一の無線端末装置から親子設定要求を受信した場合に、この端末装置を親機とし、この無線端末装置を子機する親子情報を登録させる。
【０００７】
例えば、本発明は、外線および内線を収容する主装置と、前記内線に接続された無線アクセスポイントと、前記内線に接続された少なくとも１台の端末装置と、前記無線アクセスポイントを介して前記内線に接続された少なくとも１台の無線端末装置と、を有する親子電話システムであって、
前記端末装置は、
前記無線端末装置を自端末装置に接続するための端末装置側接続手段と、
所定のイベントが発生した場合に、前記端末装置側接続手段により自端末装置に接続された前記無線端末装置に、親子設定要求送信の合図を出力する合図出力手段と、
前記所定のイベントが発生した場合に、前記主装置に前記親子設定要求を送信する端末装置側親子設定要求手段と、を有し、
前記無線端末装置は、
前記端末装置を自無線端末装置に接続するための無線端末装置側接続手段と、
前記無線端末装置側接続手段により自無線端末装置に接続された前記端末装置により出力された前記合図を検知する合図検知手段と、
前記合図検知手段により前記合図が検知された場合に、前記主装置に前記親子設定要求を送信する無線端末装置側親子設定要求手段と、を有し、
前記主装置は、
親子関係にある前記端末装置および前記無線端末装置のアドレスを含む親子情報を記憶する親子情報記憶手段と、
所定時間内に一の前記端末装置および一の前記無線端末装置から前記親子設定要求を受信した場合に、当該端末装置を親機とし、当該無線端末装置を子機とする親子情報を前記親子情報記憶手段に登録する親子情報登録手段と、を有する。
【発明の効果】
【０００８】
本発明では、親子関係の設定に際し、端末装置が出力した合図を無線端末装置で検知できればよい。したがって、本発明によれば、シリアル通信などの端末装置および無線端末装置間でＩＤを送受するための特別なインターフェースを持たせることなく、親子関係の管理を行うことができる。
【発明を実施するための最良の形態】
【０００９】
以下、本発明の実施の形態について説明する。
【００１０】
図１は、本発明の一実施の形態が適用された親子電話システムの概略構成図である。
【００１１】
図示するように、本実施の形態の親子電話システムは、外線ネットワーク（例えばＷＡＮ）５および内線ネットワーク（例えばＬＡＮ）４を収容する主装置１と、内線ネットワーク４に接続された無線ＡＰ（アクセスポイント）３と、内線ネットワーク４に接続された少なくとも１台の有線端末２１と、無線ＡＰ３を介して内線ネットワーク４に接続された少なくとも１台の無線端末２２と、を有する。
【００１２】
主装置１は、外線ネットワーク５と有線端末２１との間、および有線端末２１と有線端末２１との間の通話信号の送受を中継する。また、主装置１は、有線端末２１および無線端末２２からの親子設定要求に従い、有線端末２１および無線端末２２の親子関係を設定し、管理する。
【００１３】
有線端末２１は、内線ネットワーク４を介して主装置１と接続され、この主装置１を介して通話相手と通話信号を送受する。また、有線端末２１は、内線ネットワーク４および無線ＡＰ３を介して、自端末２１と親子関係にある無線端末（子機）２２と接続し、この無線端末２２と通話相手との間の通話信号の送受を中継する。また、有線端末２１は、主装置１に親子設定要求を送信して、主装置１から自端末２１と親子関係にある無線端末（子機）２２の情報を取得する。
【００１４】
無線端末２２は、無線ＡＰ３および内線ネットワーク４を介して、自端末２２と親子関係にある有線端末（親機）２１と接続し、この有線端末２１および主装置１を介して通話相手と通話信号を送受する。また、無線端末２２は、主装置１に親子設定要求を送信して、主装置１から自端末２２と親子関係にある有線端末（親機）２１の情報を取得する。
【００１５】
次に、本実施の形態の親子電話システムを構成する各装置について説明する。
【００１６】
先ず、主装置１について説明する。図２は、主装置１の概略構成図である。
【００１７】
図示するように、主装置１は、外線ＩＦ部１１と、内線ＩＦ部１２と、通信制御部１３と、ＧＷ部１４と、ルータ部１５と、呼制御部１６と、時計部１７と、親子情報記憶部１８と、主制御部１９と、を有する。
【００１８】
外線ＩＦ部１１は、外線ネットワーク５と接続するためのインターフェースである。
【００１９】
内線ＩＦ部１２は、内線ネットワーク４と接続するためのインターフェースである。
【００２０】
通信制御部１３は、外線ネットワーク５および内線ネットワーク４の各々と通信パケットを送受するために必要な処理（エラー検出、エラー訂正、パケット解析等）を行う。
【００２１】
ＧＷ部１４は、外線ネットワーク５および内線ネットワーム４間を中継するゲートウェイである。
【００２２】
ルータ部１５は、通信パケットのルーティングを行う。
【００２３】
呼制御部１６は、ＳＩＰ等の呼制御プロトコルに従い呼制御処理を行う。
【００２４】
時計部１７は、時間を計測する。
【００２５】
親子情報記憶部１８は、親子関係にある有線端末２１および無線端末２２の情報を記憶する。図３は、親子情報記憶部１８の登録内容を模式的に示す図である。
【００２６】
図示するように、親子情報記憶部１８には、有線端末２１毎にレコード１８０が登録されている。レコード１８０は、有線端末２１に割り当てられた電話番号を登録するためのフィールド１８１と、この有線端末２１のアドレス情報を登録するためのフィールド１８２と、この有線端末２１と親子関係を有する無線端末２２のアドレス情報を登録するためのフィールド１８３と、を有する。
【００２７】
ここで、フィールド１８１、１８２には、電話番号、および有線端末２１のアドレス情報が予め登録されている。フィールド１８３には、この有線端末２１と親子関係が成立している無線端末２２が存在する場合にのみ、この無線端末２２のアドレス情報が登録される。なお、有線端末２１および無線端末２２間に親子関係が成立している場合は、有線端末２１が親機となり、無線端末２２が子機となる。
【００２８】
そして、主制御部１９は、自主装置１の各部１１〜１８を統括的に制御する。
【００２９】
具体的には、主制御部１９は、外線ＩＦ部１１、通信制御部１３、ルータ部１５、およびＧＷ部１４を介して、外線ネットワーク５から呼データを受信すると、親子情報記憶部１８を参照し、この呼データの着番号が付与された有線端末２１のアドレス情報を取得する。そして、呼データおよび取得したアドレス情報を呼制御部１６に渡す。これを受けて、呼制御部１６は、主制御部１９と連携して着信処理を行い、アドレス情報により特定される有線端末２１と呼データの発信元との間に音声経路（通話パス）を設定する。
【００３０】
また、主制御部１９は、内線ＩＦ部１２、通信制御部１３、ルータ部１５、およびＧＷ部１４を介して、有線端末２１から呼データを受信すると、この呼データを呼制御部１６に渡す。これを受けて、呼制御部１６は、主制御部１９と連携して発信処理を行い、この有線端末２１と呼データのあて先との間に音声経路を設定する。
【００３１】
さらに、主制御部１９は、有線端末２１および無線端末２２の親子関係設定処理を行う。図４は、主装置１の親子関係設定処理を説明するためのフロー図である。
【００３２】
主制御部１９は、内線ＩＦ部１２、通信制御部１３、ルータ部１５、およびＧＷ部１４を介して、有線端末２１から親子設定要求を受信すると（Ｓ１０１でＹＥＳ）、時計部１７から現在時刻を取得し、これを親子設定要求の到着時刻として、この有線端末２１のアドレス情報に対応付けて図示していないメモリ等に記憶する（Ｓ１０２）。
【００３３】
一方、主制御部１９は、内線ＩＦ部１２、通信制御部１３、ルータ部１５、およびＧＷ部１４を介して、無線端末２２から親子設定要求を受信すると（Ｓ１０３でＹＥＳ）、時計部１７から現在時刻を取得し、これを親子設定要求の到着時刻として、この無線端末２２のアドレス情報に対応付けて図示していないメモリ等に記憶する（Ｓ１０４）。
【００３４】
さて、主制御部１９は、有線端末２１および無線端末２２の両方から親子設定要求を受信したならば（Ｓ１０５でＹＥＳ）、図示していないメモリ等を参照し、有線端末２１および無線端末２２のそれぞれについて、記憶されている到着時刻が一つのみであるか否かを調べる（Ｓ１０６）。
【００３５】
図示していないメモリ等に記憶されている到着時刻が、有線端末２１および無線端末２２の少なくとも一方について複数ある場合（Ｓ１０６でＮＯ）、この図示していないメモリ等に到着時刻が登録されている有線端末２１に対して、親子設定要求の再送を促すためのリトライ要求を、ＧＷ部１４、ルータ部１５、および通信制御部１３を介して、内線ＩＦ部１２から送信する（Ｓ１０７）。ここで、複数の有線端末２１に対してリトライ要求を送信する場合、少なくとも、後述するＳ１０８の所定時間より間隔をあけて、リトライ要求が各有線端末２１に送信されるように、各有線端末２１に対するリトライ要求の送信タイミングをずらす。その後、図示していないメモリ等に記憶されている到着時刻の情報をクリアしてスタートに戻る。
【００３６】
一方、図示していないメモリ等に記憶されている到着時刻が、有線端末２１および無線端末２２のそれぞれについて一つのみである場合（Ｓ１０６でＹＥＳ）、この有線端末２１の到着時刻と、この無線端末２２の到着時刻との時間差を求め、この時間差が所定時間（例えば２秒）以内であるか否かを調べる（Ｓ１０８）。所定時間以内でない場合（Ｓ１０８でＮＯ）、主制御部１９は、この有線端末２１に対して、親子設定要求の再送を促すためのリトライ要求を、ＧＷ部１４、ルータ部１５、および通信制御部１３を介して、内線ＩＦ部１２から送信する（Ｓ１０９）。その後、図示していないメモリ等に記憶されている到着時刻の情報をクリアしてスタートに戻る。一方、所定時間以内である場合は（Ｓ１０８でＹＥＳ）、Ｓ１１０に進む。
【００３７】
Ｓ１１０において、主制御部１９は、図示していないメモリ等に到着時刻が記憶されている有線端末２１のアドレス情報をキーとして、親子情報記憶部１８からレコード１８０を検索する。そして、検索したレコード１８０のフィールド１８３に無線端末２２のアドレス情報が登録されているか否かを調べる。
【００３８】
登録されていない場合、すなわち図示していないメモリ等に到着時刻が記憶されている有線端末２１について、親子関係が未設定である場合（Ｓ１１０でＮＯ）、主制御部１９は、親子情報記憶部１８から、図示していないメモリ等に到着時刻が記憶されている無線端末２２のアドレス情報がフィールド１８３に登録されているレコード１８０を検索する。そして、このようなレコード１８０を検索できた場合は、このレコード１８０のフィールド１８３からアドレス情報を削除する。また、主制御部１９は、Ｓ１１０において検索したレコード１８０のフィールド１８３に、図示していないメモリ等に到着時刻が記憶されている無線端末２２のアドレス情報を登録する。それから、主制御部１９は、Ｓ１１０において検索したレコード１８０のフィールド１８２にアドレス情報が登録されている有線端末２１に、このレコード１８０のフィールド１８３に登録されているアドレス情報を含む子機情報を送信すると共に、このレコード１８０のフィールド１８３にアドレス情報が登録されている無線端末２２に、このレコード１８０のフィールド１８２に登録されているアドレス情報を含む親機情報を送信する（Ｓ１１１）。その後、図示していないメモリ等に記憶されている到着時刻の情報をクリアしてスタートに戻る。
【００３９】
Ｓ１１０において、検索したレコード１８０のフィールド１８３に無線端末２２のアドレス情報が登録されている場合、すなわち図示していないメモリ等に到着時刻が記憶されている有線端末２１について、親子関係が設定済みである場合（Ｓ１１０でＹＥＳ）、図示していないメモリ等に到着時刻が記憶されている有線端末２１および無線端末２２の組み合わせが一致しているかを判断し、一致している場合の出現回数を一つインクリメントする。そして、この出現回数が所定値（例えば３回）以上となったか否かを調べる（Ｓ１１２）。
【００４０】
Ｓ１１２において、この出現回数が所定値以上となった場合（Ｓ１１２でＹＥＳ）、主制御部１９は、親子情報記憶部１８から、図示していないメモリ等に到着時刻が記憶されている無線端末２２のアドレス情報がフィールド１８３に登録されているレコード１８０を検索する。そして、このようなレコード１８０を検索できた場合は、このレコード１８０のフィールド１８３からアドレス情報を削除する。また、主制御部１９は、Ｓ１１０において検索したレコード１８０のフィールド１８３に登録されている無線端末２２のアドレス情報を、図示していないメモリ等に到着時刻が記憶されている無線端末２２のアドレス情報に更新する。これにより、親子関係が一致していない端末においても、一定時間載置することで、自動的に親子関係を設定することができる。それから、主制御部１９は、Ｓ１１０において検索したレコード１８０のフィールド１８２にアドレス情報が登録されている有線端末２１に、このレコード１８０のフィールド１８３に登録されているアドレス情報を含む子機情報を送信すると共に、このレコード１８０のフィールド１８３にアドレス情報が登録されている無線端末２２に、このレコード１８０のフィールド１８２に登録されているアドレス情報を含む親機機情報を送信する（Ｓ１１４）。その後、図示していないメモリ等に記憶されている到着時刻の情報をクリアしてスタートに戻る。
【００４１】
一方、Ｓ１１２において、この出現回数が所定値未満の場合（Ｓ１１２でＮＯ）、主制御部１９は、図示していないメモリ等に到着時刻が記憶されている有線端末２１および無線端末２２に対して、親子関係設定済みであることを知らせるための既設定通知を、ＧＷ部１４、ルータ部１５、および通信制御部１３を介して、内線ＩＦ部１２から送信する（Ｓ１１３）。その後、図示していないメモリ等に記憶されている到着時刻の情報をクリアして、スタートに戻る。
【００４２】
次に、無線ＡＰ３について説明する。図５は、無線ＡＰ３の概略構成図である。
【００４３】
図示するように、無線ＡＰ３は、無線ＩＦ部３１と、内線ＩＦ部３２と、通信制御部３３と、主制御部３４と、を有する。
【００４４】
無線ＩＦ部３１は、無線ネットワークと接続するためのインターフェースである。
【００４５】
内線ＩＦ部３２は、内線ネットワーク４と接続するためのインターフェースである。
【００４６】
通信制御部３３は、無線ネットワークおよび内線ネットワーク４のそれぞれと通信パケットを送受するために必要な処理（エラー検出、エラー訂正、パケット解析等）を行う。
【００４７】
主制御部３４は、自無線ＡＰ３の各部３１〜３３を統括的に制御する。具体的には、無線ＩＦ部３１、内線ＩＦ部３２、および通信制御部３３と連携して、無線ネットワークおよび内線ネットワーク４間を中継する。
【００４８】
次に、有線端末２１について説明する。図６は、有線端末２１の概略構成図である。
【００４９】
図示するように、有線端末２１は、内線ＩＦ部２１０１と、通信制御部２１０２と、呼制御部２１０３と、通話ボタン（ハンズフリーボタン）、ダイヤルキー、ファンクションキー等の入力キーおよびＬＣＤ等の表示部を備えた操作パネル２１０４と、操作制御部２１０５と、マイクおよびスピーカを備えたハンズフリー部２１０６と、音声制御部２１０７と、無線端末ＩＦ部２１０８と、電源制御部２１０９と、子機情報記憶部２１１０と、主制御部２１１１と、を有する。
【００５０】
内線ＩＦ部２１０１は、内線ネットワーク４と接続するためのインターフェースである。
【００５１】
通信制御部２１０２は、内線ネットワーク４と通信パケットを送受するために必要な処理（エラー検出、エラー訂正、パケット解析等）を行う。
【００５２】
呼制御部２１０３は、ＳＩＰ等の呼制御プロトコルに従い呼制御処理を行う。
【００５３】
操作制御部２１０５は、操作パネル２１０４を介して、ユーザの操作を受け付けたり、情報を表示したりする。
【００５４】
音声制御部２１０７は、ハンズフリー部２１０６に対する音声の入出力を制御する。
【００５５】
無線端末ＩＦ部２１０８は、無線端末２２が自端末２１に載置された場合に、この無線端末２２と接続するためのインターフェースである。無線端末ＩＦ部２１０８は、無線端末２２を充電するための電力供給端子と、無線端末２２の載置状態を検出するためのセンサと、親子設定要求を送信するための合図を出力するための合図出力部と、を有する。合図出力部には、合図を光で出力するための発光素子、合図を音で出力するためのスピーカ等を用いることができる。
【００５６】
電源制御部２１０９は、無線端末ＩＦ部２１０８に接続された無線端末２２の充電を制御する。また、無線端末ＩＦ部２１０８に設けられたセンサを用いて、無線端末２２の載置状態を検出する。また、無線端末ＩＦ部２１０８に設けられた合図出力部を用いて、親子設定要求を送信するための合図を出力する。
【００５７】
子機情報記憶部２１１０には、自端末２１と親子関係にある無線端末２２のアドレス情報が記憶されている。
【００５８】
主制御部２１１１は、自端末２１の各部２１０１〜２１１０を統括的に制御する。
【００５９】
具体的には、主制御部２１１１は、操作パネル２１０４、および操作制御部２１０５を介して操作者から着番号を伴う発信指示を受け付けると、この発信指示を呼制御部２１０３に渡す。これを受けて、呼制御部２１０３は、主制御部２１１１と連携して発信処理を行い、着番号により特定される通話相手との間に音声経路を設定する。
【００６０】
また、主制御部２１１１は、内線ＩＦ部２１０１、および通信制御部２１０２を介して、主装置１から呼データを受信すると、これを呼制御部２１０３に渡す。これを受けて呼制御部２１０３は、主制御部２１１１と連携して着信処理を行い、この呼データの発信元との間に音声経路を設定する。
【００６１】
また、主制御部２１１１は、操作パネル２１０４、および操作制御部２１０５を介して操作者から切替指示を受け付けると、あるいは、内線ＩＦ部２１０１、および通信制御部２１０２を介して、自端末２１と親子関係にある無線端末２２から切替指示または着番号を伴う発信指示を受信すると、この無線端末２２と主装置１との間におけるデータ送受の中継を開始する。
【００６２】
さらに、主制御部２１１１は、親子設定要求処理を行う。図７は、有線端末２１の親子設定要求処理を説明するためのフロー図である。
【００６３】
先ず、主制御部２１１１は、所定のイベントの発生を監視する（Ｓ２１０１）。本実施の形態では、所定のイベントとして、自端末２１の起動、主装置１が送信したリトライ要求の受信、主装置１が送信した既設定通知の受信、自端末２１の親子関係が設定され、状態確認のための定期的な送信イベントの発生、および操作者からの子機設定指示を想定している。
【００６４】
さて、所定のイベントが発生したならば（Ｓ２１０１でＹＥＳ）、主制御部２１１１は、無線端末ＩＦ部２１０８、および電源制御部２１０９を介して、無線端末２２の載置状態を確認する（Ｓ２１０２）。無線端末２２の載置状態が「非載置」ならば（Ｓ２１０２でＮＯ）、スタートに戻る。一方、無線端末２２の載置状態が「載置」ならば（Ｓ２１０２でＹＥＳ）、Ｓ２１０１で発生した所定のイベントが「既設定通知の受信」であるか否かを判断する（Ｓ２１０３）。
【００６５】
「既設定通知の受信」である場合（Ｓ２１０３でＹＥＳ）、主制御部２１１１は、操作制御部２１０５を介して操作パネル２１０４に、自端末２１の親子関係が設定済みであることを示す既設定表示を表示する（Ｓ２１０６）。その後、Ｓ２１０４に進む。一方、「既設定通知の受信」でない場合（Ｓ２１０３でＮＯ）、直ちにＳ２１０４に進み、主制御部２１１１は、自端末２１に載置されている無線端末２２に対して、親子設定要求を送信するための合図を出力する。それから、主制御部２１１１は、通信制御部２１０２、および内線ＩＦ部２１０１を介して主装置１に、送信元が有線端末であることを示す識別情報を含む親子設定要求を送信し（Ｓ２１０５）、その後、スタートに戻る。
【００６６】
また、主制御部２１１１は、内線ＩＦ部２１０１、および通信制御部２１０２を介して主装置１から子機情報を受信すると（Ｓ２１０７でＹＥＳ）、この子機情報に含まれているアドレス情報を、自端末２１と親子関係にある無線端末２２のアドレス情報として、子機情報記憶部２１１０に登録する。もしくは、子機情報記憶部２１１０に登録されているアドレス情報を更新する（Ｓ２１０８）。その後、スタートに戻る。
【００６７】
次に、無線端末２２について説明する。図８は、無線端末２２の概略構成図である。
【００６８】
図示するように、無線端末２２は、無線ＩＦ部２２０１と、通信制御部２２０２と、呼制御部２２０３と、通話ボタン、ダイヤルキー、ファンクションキー等の入力キーおよびＬＣＤ等の表示部を備えた操作パネル２２０４と、操作制御部２２０５と、マイクおよびスピーカを備えたハンドセット部２２０６と、音声制御部２２０７と、有線端末ＩＦ部２２０８と、電源制御部２２０９と、親機情報記憶部２２１０と、主制御部２２１１と、を有する。
【００６９】
無線ＩＦ部２２０１は、無線ネットワークと接続するためのインターフェースである。
【００７０】
通信制御部２２０２は、無線ネットワークと通信パケットを送受するために必要な処理（エラー検出、エラー訂正、パケット解析等）を行う。
【００７１】
呼制御部２２０３は、ＳＩＰ等の呼制御プロトコルに従い呼制御処理を行う。
【００７２】
操作制御部２２０５は、操作パネル２２０４を介して、ユーザの操作を受け付けたり、情報を表示したりする。
【００７３】
音声制御部２２０７は、ハンドセット部２２０６に対する音声の入出力を制御する。
【００７４】
有線端末ＩＦ部２２０８は、自端末２２が有線端末２１に載置された場合に、この有線端末２１と接続するためのインターフェースである。有線端末ＩＦ部２２０８は、有線端末２１から電力を入力するための電力入力端子と、有線端末２１から出力された合図を検知するための合図検知部と、を有する。合図検知部には、合図を表す光を検知するための受光素子、合図を表す音を検知するためのマイク等を用いることができる。
【００７５】
電源制御部２２０９は、有線端末ＩＦ部２２０８に接続された有線端末２１から提供された電力の蓄電を制御する。また、有線端末ＩＦ部２２０８に設けられた合図検知部を用いて、有線端末２１から出力された合図を検出する。
【００７６】
親機情報記憶部２２１０には、自端末２２と親子関係にある有線端末２１のアドレス情報が記憶されている。
【００７７】
主制御部２２１１は、自端末２２の各部２２０１〜２２１０を統括的に制御する。
【００７８】
具体的には、主制御部２２１１は、操作パネル２２０４、および操作制御部２２０５を介して操作者から着番号を伴う発信指示を受け付けると、この発信指示を呼制御部２２０３に渡す。これを受けて、呼制御部２２０３は、主制御部２２１１と連携して発信処理を行い、自端末２２と親子関係にある有線端末２１経由で、着番号により特定される通話相手との間に音声経路を設定する。
【００７９】
また、主制御部２２１１は、無線ＩＦ部２２０１、および通信制御部２２０２を介して、自端末２２と親子関係にある有線端末２１経由で主装置１から呼データを受信すると、これを呼制御部２２０３に渡す。これを受けて呼制御部２２０３は、主制御部２２１１と連携して着信処理を行い、自端末２２と親子関係にある有線端末２１経由でこの呼データの発信元との間に音声経路を設定する。
【００８０】
また、主制御部２２１１は、操作パネル２２０４、および操作制御部２２０５を介して操作者から切替指示を受け付けると、あるいは、無線ＩＦ部２２０１、および通信制御部２２０２を介して、自端末２２と親子関係にある有線端末２１から切替指示を受信すると、この有線端末２１を介して主装置１とデータの送受を開始する。
【００８１】
さらに、主制御部２２１１は、親子設定要求処理を行う。図９は、無線端末２２の親子設定要求処理を説明するためのフロー図である。
【００８２】
主制御部２２１１は、有線端末ＩＦ部２２０８、および電源制御部２２０９を介して、自端末２２が載置する有線端末２１が出力した合図を検出すると（Ｓ２２０１でＹＥＳ）、通信制御部２２０２、および無線ＩＦ部２２０１を介して主装置１に、送信元が無線端末であることを示す識別情報を含む親子設定要求を送信し（Ｓ２２０２）、その後、スタートに戻る。
【００８３】
また、主制御部２２１１は、無線ＩＦ部２２０１、および通信制御部２２０２を介して主装置１から既設定通知を受信すると（Ｓ２２０３でＹＥＳ）、操作制御部２２０５を介して操作パネル２２０４に、自端末２２の親子関係が設定済みであることを示す既設定表示を表示する（Ｓ２２０４）。その後、スタートに戻る。
【００８４】
また、主制御部２２１１は、無線ＩＦ部２２０１、および通信制御部２２０２を介して主装置１から親機情報を受信すると（Ｓ２２０５でＹＥＳ）、この親機情報に含まれているアドレス情報を、自端末２２と親子関係にある有線端末２１のアドレス情報として、親機情報記憶部２２１０に登録する。もしくは、親機情報記憶部２２１０に登録されているアドレス情報を更新する（Ｓ２２０６）。その後、スタートに戻る。
【００８５】
次に、本実施の形態が適用された親子電話システムによる親子関係設定の処理例を説明する。
【００８６】
図１０は、一つの有線端末２１および一つの無線端末２２が所定時間内に親子設定要求を送信した場合において、この有線端末２１の親子関係が未設定である場合の親子関係設定処理例を説明するためのシーケンス図である。
【００８７】
有線端末２１は、自端末２１の起動、操作者からの子機設定指示等といった、所定のイベントの発生を検出すると（Ｓ５０１）、自端末２１に載置された無線端末２２に合図を出力すると共に（Ｓ５０２）、主装置１に対して親子設定要求を送信する（Ｓ５０３）。
【００８８】
また、無線端末２２は、自端末２２が載置する有線端末２１から出力された合図を検出すると（Ｓ５０４）、主装置１に対して親子設定要求を送信する（Ｓ５０５）。
【００８９】
さて、主装置１は、有線端末２１および無線端末２２のそれぞれについて一つのみから親子設定要求を受信すると、両端末２１、２２の親子設定要求到着時刻の時間差が所定時間以内であること、および、有線端末２１の親子関係が未設定であることを確認して、両端末２１、２２の親子設定要求成立と判断し、無線端末２２のアドレス情報を、有線端末２１のアドレス情報にのみ対応付けられるように登録する（Ｓ５０６）。そして、有線端末２１に、無線端末２２のアドレス情報を含む子機情報を送信すると共に（Ｓ５０７）、無線端末２２に、有線端末２１のアドレス情報を含む親機情報を送信する（Ｓ５０８）。
【００９０】
これを受けて、有線端末２１は、主装置１から受信した子機情報に含まれているアドレス情報を、自端末２１と親子関係にある無線端末（子機）２２のアドレス情報として登録する（Ｓ５０９）。また、無線端末２２は、主装置１から受信した親機情報に含まれているアドレス情報を、自端末２２と親子関係にある有線端末（親機）２１のアドレス情報として登録する（Ｓ５１０）。
【００９１】
図１１は、複数の有線端末２１および複数の無線端末２２が所定時間内に親子設定要求を送信した場合において、各有線端末２１の親子関係が未設定である場合の親子関係設定処理例を説明するためのシーケンス図である。
【００９２】
各有線端末２１は、自端末２１の起動、操作者からの子機設定指示等といった、所定のイベントの発生を検出すると（Ｓ６０１）、自端末２１に載置された無線端末２２に合図を出力すると共に（Ｓ６０２）、主装置１に対して親子設定要求を送信する（Ｓ６０３）。
【００９３】
また、各無線端末２２は、自端末２２が載置する有線端末２１から出力された合図を検出すると（Ｓ６０４）、主装置１に対して親子設定要求を送信する（Ｓ６０５）。
【００９４】
そして、主装置１は、所定時間内に複数の有線端末２１および複数の無線端末２２から親子設定要求を受信すると、親子設定要求不成立と判断する（Ｓ６０６）。それから、主装置１は、各有線端末２１に対して、親子設定要求の再送を促すリトライ要求を、少なくとも前記所定時間のインターバルで送信する（Ｓ６０７）。
【００９５】
各有線端末２１は、リトライ要求を受信すると、自端末２１に載置された無線端末２２に合図を出力すると共に（Ｓ６０８）、主装置１に対して親子設定要求を送信する（Ｓ６０９）。
【００９６】
また、各無線端末２２は、自端末２２が載置する有線端末２１から出力された合図を検出すると（Ｓ６１０）、主装置１に対して親子設定要求を送信する（Ｓ６１１）。
【００９７】
さて、主装置１は、所定時間内に有線端末２１および無線端末２２のそれぞれ一つのみから親子設定要求を受信すると、両端末２１、２２の親子設定要求到着時刻の時間差が所定時間以内であること、および、有線端末２１の親子関係が未設定であることを確認して、両端末２１、２２の親子設定要求成立と判断し、無線端末２２のアドレス情報を、有線端末２１のアドレス情報にのみ対応付けられるように登録する（Ｓ６１２）。そして、有線端末２１に、無線端末２２のアドレス情報を含む子機情報を送信すると共に（Ｓ６１３）、無線端末２２に、有線端末２１のアドレス情報を含む親機情報を送信する（Ｓ６１４）。
【００９８】
各有線端末２１は、主装置１から受信した子機情報に含まれているアドレス情報を、自端末２１と親子関係にある無線端末（子機）２２のアドレス情報として登録する（Ｓ６１５）。また、各無線端末２２は、主装置１から受信した親機情報に含まれているアドレス情報を、自端末２２と親子関係にある有線端末（親機）２１のアドレス情報として登録する（Ｓ６１６）。
【００９９】
図１２は、一つの有線端末２１および一つの無線端末２２が所定時間内に親子設定要求を送信した場合において、この有線端末２１の親子関係が設定済みである場合の親子関係設定処理例を説明するためのシーケンス図である。
【０１００】
有線端末２１は、自端末２１の起動、操作者からの子機設定指示等といった、所定のイベントの発生を検出すると（Ｓ７０１）、自端末２１に載置された無線端末２２に合図を出力すると共に（Ｓ７０２）、主装置１に対して親子設定要求を送信する（Ｓ７０３）。
【０１０１】
また、無線端末２２は、自端末２２が載置する有線端末２１から出力された合図を検出すると（Ｓ７０４）、主装置１に対して親子設定要求を送信する（Ｓ７０５）。
【０１０２】
そして、主装置１は、有線端末２１および無線端末２２のそれぞれについて一つのみから親子設定要求を受信すると、両端末２１、２２の親子設定要求到着時刻の時間差が所定時間以内であること、および有線端末２１の親子関係が未設定であることを確認する。ここで、有線端末２１の親子関係が設定済みであるため、両端末２１、２２の親子設定要求不成立と判断する（Ｓ７０６）。それから、主装置１は、両端末２１、２２に、親子関係設定済みであることを示す既設定通知を送信する（Ｓ７０７、Ｓ７０８）。これを受けて、両端末２１、２２は、親子関係設定済みであることを示す既設定表示を行う（Ｓ７０９、Ｓ７１０）。
【０１０３】
有線端末２１は、既設定通知を受信すると、自端末２１に載置された無線端末２２に合図を出力すると共に（Ｓ７０９）、主装置１に対して親子設定要求を送信する（Ｓ７１２）。また、無線端末２２は、自端末２２が載置する有線端末２１から出力された合図を検出すると（Ｓ７１３）、主装置１に対して親子設定要求を送信する（Ｓ７１４）。
【０１０４】
そして、主装置１は、有線端末２１および無線端末２２のそれぞれについて一つのみから親子設定要求を受信すると、両端末２１、２２の親子設定要求到着時刻の時間差が所定時間以内であること、および有線端末２１の親子関係が未設定であることを確認する。ここで、有線端末２１の親子関係が設定済みであるため、両端末２１、２２の親子設定要求不成立と判断して、Ｓ７０６〜Ｓ７１４の処理を繰り返す。
【０１０５】
さて、主装置１は、同じ有線端末２１および無線端末２２の組み合わせについて、親子設定要求不成立とする判断が所定回数繰り返されると、親子設定要求成立と判断し、設定済みの親子関係を更新する（Ｓ７１５）。そして、有線端末２１に、無線端末２２のアドレス情報を含む子機情報を送信すると共に（Ｓ７１６）、無線端末２２に、有線端末２１のアドレス情報を含む親機情報を送信する（Ｓ７１７）。
【０１０６】
有線端末２１は、主装置１から受信した子機情報に含まれているアドレス情報を、自端末２１と親子関係にある無線端末（子機）２２のアドレス情報として登録する（Ｓ７１８）。また、無線端末２２は、主装置１から受信した親機情報に含まれているアドレス情報を、自端末２２と親子関係にある有線端末（親機）２１のアドレス情報として登録する（Ｓ７１９）。
【０１０７】
次に、親子情報記憶部１８の登録内容の変遷を説明する。図１３は、親子情報記憶部１８の登録内容の変遷例を説明するための図である。
【０１０８】
図１３（Ａ）において、電話番号「１４」が付与された有線端末２１（アドレス：１９２．１６８．１０．４）と親子関係にある無線端末２２（アドレス：１９２．１６８．１０．１３）が、電話番号「１０」が付与された有線端末２１（アドレス：１９２．１６８．１０．１）に載置され、そして、電話番号「１０」が付与された有線端末２１に所定のイベントが発生すると、図１２に示すシーケンスが実施され、電話番号「１０」が付与された有線端末２１の親子情報が更新される。
【０１０９】
その結果、図１３（Ｂ）に示すように、フィールド１８１に電話番号「１４」が登録されたレコード１８０のフィールド１８３からアドレス情報が削除される。また、フィールド１８１に電話番号「１０」が登録されたレコード１８０のフィールド１８３に登録されているアドレス情報が「１９２．１６８．１０．１１」から「１９２．１６８．１０．１３」に更新される。
【０１１０】
以上、本発明の一実施の形態を説明した。
【０１１１】
本実施の形態では、親子関係の設定に際し、有線端末２１が出力した合図を無線端末２２で検知できればよい。したがって、本実施の形態によれば、シリアル通信などの有線端末２１および無線端末２２間でＩＤを送受するための特別なインターフェースを持たせることなく、親子関係の設定・管理を行うことができる。
【０１１２】
また、本実施の形態において、主装置１は、所定時間内に複数の有線端末２１および複数の無線端末２２から親子設定要求を受信した場合に、この複数の有線端末２１各々に対して、それぞれ異なるタイミングでリトライ要求を送信する。そして、有線端末２１は、主装置１からリトライ要求を受信すると、主装置１に親子設定要求を送信すると共に、自端末２１に載置されている無線端末２２に合図を出して、無線端末２２に、主装置１に対して親子設定要求を送信させる。このようにすることで、本実施の形態では、所定時間内に複数の複数の有線端末２１および複数の無線端末２２から親子設定要求が送信された場合でも、各有線端末２１の親子関係を設定することができる。
【０１１３】
また、本実施の形態において、主装置１は、所定時間内に一つの有線端末２１および一つの無線端末２２から親子設定要求を受信した場合において、この有線端末２１の親子関係が設定済みである場合、この有線端末２１に対して既設定通知を送信する。そして、有線端末２１は、主装置１から既設定通知を受信すると、主装置１に親子設定要求を送信すると共に、自端末２１に載置されている無線端末２２に合図を出して、無線端末２２に、主装置１に対して親子設定要求を送信させる。そして、同じ有線端末２１および無線端末２２の組み合わせについて、所定時間内に親子設定要求を受信する事態が所定回数繰り返された場合、主装置１は、この有線端末２１と親子関係にある子機をこの無線端末２２に更新する。このようにすることで、本実施の形態では、親子関係設定済みの有線端末２１に、この有線端末２１と親子関係にない無線端末２２を載置し続けることで、この有線端末２１の親子関係を簡単に更新することができる。
【０１１４】
なお、本発明は、上記の実施の形態に限定されるものではなく、その要旨の範囲内で数々の変形が可能である。例えば、主装置１、有線端末２１、無線端末２２、および無線ＡＰ３の各構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｅｒ）、ＰＣ（Ｐｅｒｓｏｎａｌ  Ｃｏｍｐｕｔｅｒ）などの計算機によりソフトウエア的に実行されるものでもよい。
【０１１５】
また、本実施の形態では、有線端末２１の無線端末ＩＦ部２１０８に設けられたセンサにより、無線端末２２の載置状態を検出する場合を例に取り説明した。しかし、本発明はこれに限定されない。例えば、有線端末２１の電源制御部２１０９で無線端末２２の充電状態を監視することで、無線端末２２の載置状態を検出するようにしてもよい。
【０１１６】
また、本実施の形態では、有線端末２１の無線端末ＩＦ部２１０８に設けられた合図出力部より親子設定要求送信の合図を出力し、これを無線端末２２の有線端末ＩＦ部２２０８に設けられた合図検出部で検出する場合を例にとり説明した。しかし、本発明はこれに限定されない。例えば、有線端末２１の電源制御部２１０９により無線端末２２に供給する電力を変化させ、これを無線端末２２の電源制御部２２０９で検出することにより、親子設定要求送信の合図を出力、検出するようにしてもよい。
【０１１７】
図１４は、有線端末２１の無線端末ＩＦ部２１０８、電源制御部２１０９、および無線端末２２の有線端末ＩＦ部２２０８、電源制御部２２０９の変形例を説明するための図である。
【０１１８】
図示するように、有線端末２１において、無線端末ＩＦ部２１０８は、無線端末２２に電力を供給するための電力供給端子２１０８２、２１０８３を有する。また、電源制御部２１０９は、電力供給端子２１０８２、２１０８３に電源を供給する電源２１０９１と、電源２１０９１の電源供給ラインに挿入された抵抗２１０９５と、電源２１０９１の電源供給ラインを流れる電流値を測定する電流メータ２１０９３と、電力供給端子２１０８２、２１０８３間の電圧値を測定する電圧メータ２１０９４と、電源２１０９１の供給電力を調整する電源コントローラ２１０９２と、を有する。
【０１１９】
また、無線端末２２において、有線端末ＩＦ部２２０８は、有線端末２１の電力供給端子２１０８２、２１８０３に接続され、有線端末２１から電力を入力するための電力入力端子２２０８２、２２０８３を有する。また、電源制御部２２０９は、電力入力端子２２０８２、２２０８３間の電圧値を測定する電圧メータ２２０９２と、電力入力端子２２０８２、２２０８３に入力された電力を蓄電するバッテリ２２０９１と、電力入力端子２２０８２およびバッテリ２２０９１間に挿入されたダイオード２２０９３と、を有する。
【０１２０】
以上のような構成において、電源コントローラ２１０９２は、電流メータ２１０９３および電圧メータ２１０９４の測定値に基づいて電源２１０９１の供給電力を制御すると共に、これらの測定値に基づいて無線端末２２の載置状態を検出する。電源供給ラインの電流値が所定値以下の場合、電力供給端子２１０８２、２１０８３間が開放されていると考えられる。また、電力供給端子２１０８２、２１０８３間の電圧値が所定値以下の場合、子機２２に何らかの異常が発生し、子機２２の電力入力端子２２０８２、２２０８３間が短絡したものと考えられる。このような場合は、載置状態「非載置」と判断する。そして、電源供給ラインの電流値が所定の範囲内であり、且つ電力供給端子２１０８２、２１０８３間の電圧値が所定の範囲内である場合に、載置状態「載置」と判断する。
【０１２１】
あるいは、電源２１０９１の出力電圧および電圧メータ２１０９４の測定値を用いて抵抗２１０９５に加わる電圧値を計算すると共に、無線端末２２の電圧メータ２２０９２の測定値を図示していない通信端子を経由して取得する。そして、両者を比較することで、載置状態を検出する。例えば、無線端末２２の電力入力端子２２０８２、２２０８３間の抵抗値よりも大きくなるように、抵抗２１０９５の抵抗値を設定し、この両者の抵抗値の違いに応じた電圧差が、抵抗２１０９５に加わる電圧値および電圧メータ２２０９２の測定値間に生じている場合に、載置状態「載置」と判断する。それ以外の場合は、載置状態「非載置」と判断する。
【０１２２】
なお、本実施の形態では、載置状態を有線端末２１側で検出する場合を想定しているが、載置状態を無線端末２２側で検出し、これを無線ネットワーク経由で有線端末２１に通知するようにしてもよい。
【０１２３】
また、図１４に示す構成において、有線端末２１の電源コントローラ２１０９２は、主制御部２１１１の指示に従い、無線端末２２に供給する電力を変化させることで、親子設定要求の合図を出力する。例えば、電力供給端子２１０８２、２１０８３間に印加する電圧を所定時間瞬断することにより、無線端末２２に親子設定要求の合図を出力する。そして、この瞬断を無線端末２２の電圧メータ２２０９２で検出することで、有線端末２１から出力された親子設定要求の合図を検出する。図１４に示すように、電圧メータ２２０９２をダイオード２２０９３のアノード側に接続することで、無線端末２２にバッテリ２２０９１が装着されている場合でも、有線端末２１が供給する電力の変化を電圧メータ２２０９で検出することが可能となる。
【０１２４】
このようにすることにより、有線端末２１に載置された無線端末２２のバッテリ２２０９１を充電するための機構を用いて、親子設定要求の合図を有線端末２１から無線端末２２に送信することが可能となり、親子電話システムのコストをさらに低減できる。
【０１２５】
また、本実施の形態において、主装置１は、所定時間内に複数の有線端末２１および複数の無線端末２２から親子設定要求を受信した場合に、この複数の有線端末２１に対して、それぞれ異なるタイミングでリトライ要求を送信する。しかし、本発明はこれに限定されない。主装置１は、所定時間内に複数の有線端末２１および複数の無線端末２２から親子設定要求を受信した場合に、この複数の有線端末２１に対して、それぞれ異なるタイミングで自装置１に、親子設定要求を送信させるためのリトライ要求を送信することができるものであればよい。
【０１２６】
例えば、リトライ要求に送信タイミングを含め、この送信タイミングを有線端末２１毎に異ならせる。そして、主装置１が各有線端末２１に対してリトライ要求を送信し、各有線端末２１が、主装置１から受信したリトライ要求に含まれている送信タイミングに基づいて、合図および親子設定要求の出力タイミングを調整する。あるいは、主装置１が各有線端末２１に対してリトライ要求を送信し、主装置１からリトライ要求を受信した各有線端末２１が、合図および親子設定要求の出力タイミングを任意に調整してもよい。
【０１２７】
また、本実施の形態では、無線端末２２を、内線ネットワーク４および無線ＡＰ３経由で、この無線端末２２と親子関係にある有線端末２１に接続している。しかし、本発明はこれに限定されない。有線端末２１に無線インターフェースを搭載することにより、無線端末２２を、この無線端末２２と親子関係にある有線端末２１に、無線ネットワークで直接接続するようにしてもよい。あるいは、無線端末２２を主装置１に直接収容（有線端末２１を経由させることなく接続）させてもよい。すなわち、主装置１が、通話パスの接続先を、親子関係を有する有線端末２１および無線端末２２間で切り替えるようにしてもよい。
【０１２８】
また、本実施の形態では、無線端末２２の無線通信に無線ＬＡＮを利用する場合を想定して説明した。しかし、本発明はこれに限定されない。無線端末２２の無線通信にＰＨＳや携帯電話を利用してもよい。
【図面の簡単な説明】
【０１２９】
【図１】図１は、本発明の一実施の形態が適用された親子電話システムの概略構成図である。
【図２】図２は、主装置１の概略構成図である。
【図３】図３は、親子情報記憶部１８の登録内容を模式的に表した図である。
【図４】図４は、主装置１の親子関係設定処理を説明するためのフロー図である。
【図５】図５は、無線ＡＰ３の概略構成図である。
【図６】図６は、有線端末２１の概略構成図である。
【図７】図７は、有線端末２１の親子設定要求処理を説明するためのフロー図である。
【図８】図８は、無線端末２２の概略構成図である。
【図９】図９は、無線端末２２の親子設定要求処理を説明するためのフロー図である。
【図１０】図１０は、一つの有線端末２１および一つの無線端末２２が所定時間内に親子設定要求を送信した場合において、この有線端末２１の親子関係が未設定である場合の親子関係設定処理例を説明するためのシーケンス図である。
【図１１】図１１は、複数の有線端末２１および複数の無線端末２２が所定時間内に親子設定要求を送信した場合において、各有線端末２１の親子関係が未設定である場合の親子関係設定処理例を説明するためのシーケンス図である。
【図１２】図１２は、一つの有線端末２１および一つの無線端末２２が所定時間内に親子設定要求を送信した場合において、この有線端末２１の親子関係が設定済みである場合の親子関係設定処理例を説明するためのシーケンス図である。
【図１３】図１３は、親子情報記憶部１８の登録内容の変遷例を説明するための図である。
【図１４】図１４は、有線端末２１の無線端末ＩＦ部２１０８、電源制御部２１０９、および無線端末２２の有線端末ＩＦ部２２０８、電源制御部２２０９の変形例を説明するための図である。
【符号の説明】
【０１３０】
１：主装置、３：無線ＡＰ、４：内線ネットワーク、５：外線ネットワーク、１１：外線ＩＦ部、１２：内線ＩＦ部、１３：通信制御部、１４：ＧＷ部、１５：ルータ部、１６：呼制御部、１７：時計部、１８：親子情報記憶部、１９：主制御部、２１：有線端末、２２：無線端末、３１：無線ＩＦ部、３２：内線ＩＦ部、３３：通信制御部、３４：主制御部、２１０１：内線ＩＦ部、２１０２：通信制御部、２１０３：呼制御部、２１０４：操作パネル、２１０５：操作制御部、２１０６：ハンズフリー部、２１０７：音声制御部、２１０８：無線端末ＩＦ部、２１０９：電源制御部、２１１０：子機情報記憶部、２１１１：主制御部、２２０１：無線ＩＦ部、２２０２：通信制御部、２２０３：呼制御部、２２０４：操作パネル、２２０５：操作制御部、２２０６：ハンドセット部、２２０７：音声制御部、２２０８：有線端末ＩＦ部、２２０９：電源制御部、２２１０：親機情報記憶部、２２１１：主制御部
【図１】
2008219724.tif 000003
【図２】
2008219724.tif 000004
【図３】
2008219724.tif 000005
【図４】
2008219724.tif 000006
【図５】
2008219724.tif 000007
【図６】
2008219724.tif 000008
【図７】
2008219724.tif 000009
【図８】
2008219724.tif 000010
【図９】
2008219724.tif 000011
【図１０】
2008219724.tif 000012
【図１１】
2008219724.tif 000013
【図１２】
2008219724.tif 000014
【図１３】
2008219724.tif 000015
【図１４】
2008219724.tif 000016